(57)【要約】【課題】瞬間的に多量の結露水が発生した場合であってもドレンパンから結露水が溢れることを防止可能なドレンパンを備える空気調和機を提供する。【解決手段】貫流ファン４と、室内熱交換器３と、室内熱交換器３の下方に配置されて室内熱交換器３において発生した結露水を表面に受け、受けた結露水を室外に排水する排水口４２が形成されているとともに、凸部３２を表面に有するドレンパン２と、室内熱交換器３に対し、冷房運転時及び除湿運転時に通流する冷媒の蒸発温度よりも低い蒸発温度の冷媒を通流させる室内機制御部及び室外機制御部とを備える室内機１００を有する空気調和機とする。【選択図】図１
2018189254.tif 000002
【特許請求の範囲】
【請求項１】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有することを特徴とする、空気調和機。
【請求項２】
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成されることを特徴とする、請求項１に記載の空気調和機。
【請求項３】
前記凹凸は、前記左右方向流路の内部に、前記室内機の正面視で左右方向に延在していることを特徴とする、請求項２に記載の空気調和機。
【請求項４】
前記ドレンパンは、前記左右方向流路の表面に断熱材を備える一方で、前記前後方向流路の表面には断熱材を備えないことを特徴とする、請求項２又は３に記載の空気調和機。
【請求項５】
前記左右方向流路の表面に備えられた断熱材は、前記室内熱交換器において発生した結露水を受ける部分に配置され、
前記凹凸は当該断熱材の表面に形成されていることを特徴とする、請求項４に記載の空気調和機。
【請求項６】
前記前後方向流路の背面側には、前記排水口が形成されていることを特徴とする、請求項２又は３に記載の空気調和機。
【請求項７】
前記前後方向流路の底面には、前記排水口の近傍において、前記排水口に向かって下る傾斜が形成されていることを特徴とする、請求項２又は３に記載の空気調和機。
【請求項８】
前記前後方向流路には凸部が形成され、
当該凸部は、前記傾斜の途中で無くなるように前記傾斜の下る方向に徐々に高さが低くなっていることを特徴とする、請求項７に記載の空気調和機。
【請求項９】
前記室内熱交換器を構成するフィンと前記ドレンパンとは接触しており、
前記ドレンパンを構成する凹凸のうちの凹んだ部分の内側に前記フィンの先端が接触していることを特徴とする、請求項１〜３の何れか１項に記載の空気調和機。
【請求項１０】
前記ドレンパンのうち、前記結露水が流れる部分には撥水性の表面が配置されていることを特徴とする、請求項１〜３の何れか１項に記載の空気調和機。
【請求項１１】
前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
前記室内熱交換器の表面に霜を発生させた後に、発生した霜を解凍することで液体の水を発生させて、結露水として前記ドレンパンに流すことを特徴とする、請求項１〜３の何れか１項に記載の空気調和機。
【請求項１２】
前記室内機は、オゾンガス、及び、マイナスに荷電された水分のうちの少なくとも一方を発生させる放電装置を備えることを特徴とする、請求項１〜３の何れか１項に記載の空気調和機。
【請求項１３】
前記室内機は、前記ドレンパンに紫外線を照射する紫外線照射装置を備えることを特徴とする、請求項１〜３の何れか１項に記載の空気調和機。
【請求項１４】
前記ドレンパンには抗菌剤が含まれていることを特徴とする、請求項１〜３の何れか１項に記載の空気調和機。
【発明の詳細な説明】
【技術分野】
【０００１】
本発明は、空気調和機に関する。
【背景技術】
【０００２】
空気調和機を構成する室内機には、室内熱交換器において発生した結露水を受けるドレンパンが備えられる。ドレンパンの構造に関する技術として、特許文献１に記載の技術が知られている。
【０００３】
特許文献１には、ドレンパンと前記ドレンパンの内壁に配置されるドレンパン用発泡断熱材において、凝縮水がドレンパンとドレンパン用発泡断熱材の間に流れ込んでドレンパンの外壁に露付きすることを防止すること及び作業工数を低減させることを目的に、ドレンパン用発泡断熱材の発泡倍率を低くし、凝縮水を排出させるドレンパン排出口とドレンパン用発泡断熱材排出口のみを接着させることを特徴とした空気調和機が記載されている。
【先行技術文献】
【特許文献】
【０００４】
【特許文献１】特開２００８−２９２１００号公報（特に図２を参照）
【発明の概要】
【発明が解決しようとする課題】
【０００５】
ところで、本発明者らは、冷房運転時及び除湿運転時に通流させる冷媒の蒸発温度よりも低い蒸発温度の冷媒を室内熱交換器に通流させ、室内熱交換器に敢えて結露水を発生させる技術を検討した。なお、ここでいう「結露水」には、室内熱交換器に直接付着する液体の水を含むほか、室内熱交換器に付着した霜が溶けて発生した液体の水を含むものとする。以下、「結露水」という場合には同義である。そして、このような技術により、発生した結露水がドレンパンに流れ落ちる際、室内熱交換器に付着した埃、油分等を洗い流すことができ、室内熱交換器を清浄に保つことができる。
【０００６】
ただ、この技術において、室内熱交換器には、前記のように、冷房運転時及び除湿運転時に通流させる冷媒の蒸発温度よりも低い蒸発温度の冷媒が通流する。そのため、瞬間的に発生する結露水の量は、冷房運転時及び除湿運転時に発生する結露水の量よりも多くなる。従って、ドレンパンに流れ落ちた結露水がドレンパンから溢れることを防止する観点から、ドレンパンに流れ落ちた結露水は速やかに外部に排出されることが好ましい。
【０００７】
しかし、特許文献１に記載の技術では、ドレンパン外壁への露付き防止については考慮されているが、ドレンパンからの速やかな排水については考慮されていない。そのため、瞬間的に多量の結露水が発生した場合にドレンパンから速やかに排水し、ドレンパンから結露水が溢れることを防止可能な技術が望まれている。
【０００８】
本発明はこのような課題に鑑みて為されたものであり、本発明が解決しようとする課題は、瞬間的に多量の結露水が発生した場合であってもドレンパンから結露水が溢れることを防止可能なドレンパンを備える空気調和機を提供することである。
【課題を解決するための手段】
【０００９】
本発明者らは前記課題を解決するために鋭意検討を行った結果、以下の知見を見出して本発明を完成させた。即ち、本発明の要旨は、貫流ファンと、室内熱交換器と、当該室内熱交換器の下方に配置されて前記室内熱交換器において発生した結露水を表面に受け、受けた結露水を室外に排水する排水口が形成されているとともに、表面で受けた結露水を前記排水口に導く凹凸を表面に有するドレンパンと、前記室内熱交換器に対し、冷房運転時及び除湿運転時に通流する冷媒の蒸発温度よりも低い蒸発温度の冷媒を通流させる制御部と、を備える室内機を有することを特徴とする、空気調和機に関する。
【発明の効果】
【００１０】
本発明によれば、瞬間的に多量の結露水が発生した場合であってもドレンパンから結露水が溢れることを防止可能なドレンパンを備える空気調和機を提供することができる。
【図面の簡単な説明】
【００１１】
【図１】本実施形態の空気調和機を構成する室内機の断面図である。
【図２】本実施形態の空気調和機に備えられる冷凍サイクルを示す図である。
【図３】本実施形態の空気調和機において行われる凍結洗浄フローを示す図である。
【図４】本実施形態の空気調和機を構成する室内機に備えられるドレンパンの様子を示す斜視図である。
【図５】本実施形態の空気調和機を構成する室内機において、ドレンパンと室内熱交換器との相対的な位置関係を示す断面図である。
【図６】図４のＡ部拡大図である。
【図７】図６のＢ−Ｂ線端面図である。
【図８】図６のＣ−Ｃ線断面図である。
【発明を実施するための形態】
【００１２】
以下、図面を適宜参照しながら本発明を実施するための形態（本実施形態）を説明する。ただし、参照する各図はあくまでも模式図である。また、本実施形態は以下に記載する事項に何ら限定されるものではなく、本発明の要旨を逸脱しない範囲で任意に変更して実施可能である。
【００１３】
図１は、本実施形態の空気調和機１０（図２参照、図１では図示しない）を構成する室内機１００の断面図である。図１に示す状態では、貫流ファン４は停止し、かつ、前面パネル７及び上下封向板１８は閉じられて、室内機１００による空調運転は停止している。室内機１００は、貫流ファン４と、貫流ファン４を囲うように配置された室内熱交換器３と、室内熱交換器３の下方に配置されたドレンパン２とを備える。これらは筐体９に収容される。
【００１４】
室内熱交換器３は、フィン３ａ及び伝熱管３ｂを備える。この伝熱管３ｂに圧縮機１１（図２参照、図１では図示しない）からの冷媒が通流することでフィン３ａが加熱又は冷却される。これらのうち、特に伝熱管３ｂに冷たい冷媒が通流し、フィン３ａが冷却されると、フィン３ａの表面には結露水（前記のように凍結後解凍により生じた液体の水を含む）が発生する。そこで、この結露水は、室内熱交換器３の下方に配置されたドレンパン２に流れ落ちる。ドレンパン２の構造は、図４等を参照しながら後記する。
【００１５】
室内機１００の内部には、空調運転中に空気の流れを遮らない位置（具体的には正面側の上方）に、空気に対して放電を行う放電装置８が配置される。空気調和中に放電装置８の放電がなされると、筐体９の内部の空気中の水分にマイナスの電荷が荷電され、マイナスに荷電された水分が筐体９内に放出される。そして、このマイナスに荷電された水分は、貫流ファン４の回転駆動により室内に放出され、室内に存在する人の肌の保水性が高められる。
【００１６】
また、図示はしないが、ドレンパン２の近傍には、ドレンパン２の内表面に紫外線を照射する紫外線照射装置が備えられる。室内機１００の空調運転停止中に紫外線照射装置によってドレンパン２に紫外線が照射されることで、ドレンパン２の殺菌が行われ、ドレンパン２でのかび等の発生が抑制される。
【００１７】
室内機１００の正面には、下方端部を中心として正面側に回動可能な前面パネル７が備えられる。また、室内機１００の下面には、その背面側端部を中心として下方に回動可能な上下風向板１８が備えられる。そして、室内機１００による空調運転が開始されるときには、前面パネル７が回動して上方が開口することで、図示しない空気吸込口が形成される。一方で、上下風向板１８が下方に回動して正面側下方が開口することで、図示しない空気吹出口が形成される。なお、室内機１００の上方には、予め開口した空気吸込口６ａが形成される。
【００１８】
そして、この状態で貫流ファン４が回転駆動することで、空気吸込口６ａと、前面パネル７の回動により形成された空気吸込口とから、フィルタ１５ａ，１５ｂを介して、筐体９の内部に室内の空気が吸い込まれる。吸い込まれた空気は、貫流ファン４を囲うように配置された室内熱交換器３によって熱交換された後、上下風向板１８の回動により形成された空気吹出口を通じて、室内に吹き出される。
【００１９】
このとき、筐体９の内部では、放電装置８による放電が行われている。そのため、室内に吹き出される空気には、マイナスに荷電された水分が含まれている。そして、上下風向板１８の回動角度が制御されることで、上下方向の吹き出し位置が制御される。また、左右風向板１６も、その一端が回動可能になっており、左右風向板１６の回動角度が制御されることで、左右方向（図１において紙面手前と奥側との方向）の吹き出し位置が制御される。
【００２０】
図２は、本実施形態の空気調和機１０に備えられる冷凍サイクルを示す図である。なお、図２において、図示の簡略化のために、室内機１００に備えられる部材を、図１に示したものから一部省略して示している。空気調和機１０は、前記の図１に示した室内機１００のほか、室外機１０１を有する。室内機１００と室外機１０１とは、冷媒配管５により、冷媒が循環可能に接続される。
【００２１】
室内機１００は、前記のように室内熱交換器３及び貫流ファン４を備えるほか、室内機１００の運転を制御する室内機制御部１を備える。詳細は図３を参照しながら後記するが、本実施形態の空気調和機１０では、室内機１００による空調運転後に、室内熱交換器３に結露水を発生させる制御が行われる。そして、この結露水により、室内熱交換器３の洗浄が行われる。
【００２２】
室内機制御部１は、いずれも図示しないが、ＣＰＵ（Central Processing Unit）、ＲＡＭ（Random Access Memory）、ＲＯＭ（Read Only Memory）、Ｉ／Ｆ（インターフェイス）等を備えて構成される。そして、室内機制御部１は、ＲＯＭに格納されている所定の制御プログラムがＣＰＵによって実行されることにより具現化される。
【００２３】
室外機１０１は、圧縮機１１と、四方弁１２と、室外ファン１３と、室外熱交換器１４と、膨張弁１５と、室外機制御部１６とを備える。圧縮機１１からは図２において矢印の方向に冷媒が吐出する。そして、四方弁１２によって吐出された冷媒の流路が切り替えられることで、室内機１００の運転モードが、暖房運転、冷房運転又は除湿運転のいずれかに切り替えられる。具体的には、室内機１００の運転モードが暖房運転のときには、図２に示す四方弁１２において、実線の流路で冷媒が流れる。一方で、室内機１００の運転モードが冷房運転及び除湿運転のときには、図２に示す四方弁１２において、破線の流路で冷媒が流れる。
【００２４】
また、室外機１０１に備えられる膨張弁１５では、その開度が調整可能である。膨張弁１５の開度の調整は、室外機１０１の制御を行う室外機制御部１６からの指示信号に基づき、図示しないアクチュエータが駆動することで行われる。
【００２５】
室外機制御部１６は、いずれも図示しないが、ＣＰＵ、ＲＡＭ、ＲＯＭ、Ｉ／Ｆ等を備えて構成される。そして、室外機制御部１６は、ＲＯＭに格納されている所定の制御プログラムがＣＰＵによって実行されることにより具現化される。なお、空気調和機１０の全体の制御は、この室外機制御部１６と前記の室内機制御部１とにより協動して行われる。
【００２６】
本実施形態の空気調和機１０では、前記のように、室内機１００による空調運転後に、室内熱交換器３に結露水を発生させる制御が行われる。具体的には、室内熱交換器３に対して低温（例えば０℃以下）の冷媒を通流させることで、室内熱交換器３近傍の水分が室内熱交換器３の表面で凍結する。即ち、室内熱交換器３の表面に霜を発生させる蒸発温度の冷媒を室内熱交換器３に通流させることで、前記室内熱交換器の表面に霜が発生する。その後、暖房運転時の冷媒を通流させて室内熱交換器３を加熱して凍結した霜（水分）を解凍することで、発生した液体の結露水がドレンパン２（図１参照）に流される。これにより、空調中に筐体９に取り込まれ、室内熱交換器３に付着した微細な塵埃、油滴等が、結露水によって洗い流される。この制御について、図３を参照しながら説明する。
【００２７】
図３は、本実施形態の空気調和機１０において行われる凍結洗浄フローを示す図である。このフローは、特に断らない限り、室内機制御部１と室外機制御部１６とが協動して行われる。まず、室内機１０による空調運転中、使用者が例えばリモコン等を操作することで、空調運転が停止される（ステップＳ１）。次いで、冷凍サイクル内の冷媒の状態を安定させるため、所定時間（例えば数分）の待機が行われる。所定時間の待機後、室外機制御部１６は、膨張弁１５（図２参照）の開度を絞る。具体的には、室内機１０の冷房運転時及び除湿運転時の開度よりも小さくなるように、膨張弁１５の開度が小さくされる。
【００２８】
そして、室外機制御部１６は、四方弁１２の向きを、室内機１０が冷房運転時及び除湿運転時の方向の同じ方向にし、室内熱交換器３に冷媒を通流させる。この一連の動作により、膨張弁１５による膨張度合いが大きくなるため、室内熱交換器３には低温（例えば０℃以下）の冷媒が供給されることになる。これにより、室内熱交換器３は冷却される。この結果、筐体９の内部の空気に含まれる水分は室内熱交換器３の表面で凍結され、霜となる（ステップＳ２）。
【００２９】
ここで、霜を付着させる際、室内熱交換器３を通流する冷媒の温度（蒸発温度）は、冷房運転時及び除湿運転時に通流する冷媒の蒸発温度よりも低い。そのため、室内熱交換器３において霜となった水の量は、冷房運転時及び除湿運転時に発生する結露水の量よりも多い。
【００３０】
次いで、室外機制御部１６は、所定時間経過後（例えば数分）、四方弁１２の方向を暖房運転時の方向に変更し、圧縮機１１から吐出された高温の冷媒を室内熱交換器３に供給する。これにより、室内熱交換器３は加熱され、室内熱交換器３の表面の霜が解凍される（ステップＳ３）。そして、解凍されて発生した結露水は、ドレンパン２に流れ落ちる。これにより、室内熱交換器３に付着していた塵埃、油滴等がドレンパン２に洗い流され、「洗浄」と同じ効果が得られる。
【００３１】
前記のように、霜となっていた水の量は、冷房運転時及び除湿運転時に発生する結露水よりも多い量である。そのため、ドレンパン２に瞬間的に流れ落ちる水量も、冷房運転時及び除湿運転時に発生する結露水の水量よりも多い。そして、ドレンパン２に流れ落ちた結露水は、詳細は後記するが、排水口４２（図４等参照、図３では図示しない）速やかに室外に排出される。
【００３２】
そして、所定時間経過後、室外機制御部１６は貫流ファン４の駆動を開始する。これにより、筐体９の内部で空気が循環し、室内熱交換器３に空気が接触する結果、室内熱交換器３が乾燥される（ステップＳ４）。
【００３３】
この図３を参照しながら説明したように、室内熱交換器３の表面で水分を凍結及び解凍することで、室内熱交換器３の所謂「洗浄」が行われる。そして、この一連の動作により、ドレンパン２には、前記のように、通常の運転モード（冷房運転及び除湿運転）の際に発生する結露水の量よりも多量の結露水が瞬間的に流れ込む。そこで、瞬間的に多量の結露水が流れ込んだ場合であってもドレンパン２から溢れださずに速やかに排水されるように、ドレンパン２が構成されている。以下、ドレンパン２の構成を中心に説明を続ける。
【００３４】
図４は、本実施形態の空気調和機１０を構成する室内機１００に備えられるドレンパン２の様子を示す斜視図である。このドレンパン２は、前記のように室内熱交換器３の下方に配置されたものである。ドレンパン２は、例えばアクリロニトリル−ブタジエン−スチレン共重合樹脂（ＡＢＳ樹脂）、ポリスチレン等の樹脂により構成される。また、ドレンパン２を構成する樹脂には、ドレンパン２でのかび等の発生を抑制するために、例えばイミダゾール系等の抗菌剤が含まれている。なお、ドレンパン２は、例えば鏡面加工された金型に樹脂材料を充填して固化させることで成型される。
【００３５】
ドレンパン２は、室内機１００の正面視で左右方向に延在する前ドレンパン３５（図５参照、図４では図示しない。左右方向流路）を備える。そして、前ドレンパン３５の内面では、平板状の断熱材３１（左右方向流路）が、前記の室内熱交換器３で発生した結露水を受ける位置に配置される。ただし、この断熱材３１は、その正面側及び背面側のそれぞれ端部において上方に延びることで容器形状になっている。
【００３６】
断熱材３１は、前ドレンパン３５（図５参照）の内表面に形成された窪み（図示しない）に接着材を塗布した後に嵌められることで、前ドレンパン３５の内表面に固定される。このとき、断熱材３１として、弾力性を有し、かつ、当該窪みよりもやや大きな断熱材３１を使用することで、窪みの内側面と断熱材３１との間で隙間の発生が抑制される。なお、断熱材３１には、断熱材３１でのかび等の発生を抑制するために、例えばイミダゾール系等の抗菌剤が含まれている。
【００３７】
また、前ドレンパン３５（図５参照）の左右両端（即ち、断熱材３１の左右両端）のそれぞれには、ドレンパン２の一部として、正面から背面に向かって延在する前後方向流路４０が接続される。なお、詳細は後記するが、左右のそれぞれに配置された前後方向流路４０の背面側には、ドレンパン２で受けた結露水を室外に排水するための排水口４２が形成される。
【００３８】
断熱材３１の表面には、左右方向に延びる凸部３２と、凸部３２の正面側と背面側とにそれぞれ配置された凹部３３，３４とが形成される。凸部３２及び凹部３３，３４（それぞれドレンパン２に形成された凹凸に相当）は、いずれも、表面で受けた結露水を前後方向流路４０に導くようにして断熱材３１の表面に形成されたものである。
【００３９】
凸部３２は左右方向に連続的に形成されており、その幅（正面−背面方向の長さ）は左右方向全域で一様な長さになっている。さらに、凹部３３，３４も左右方向に連続的に形成されており、その幅（正面−背面の長さ）も左右方向全域で一様な長さになっている。そして、凸部３２は、正面−背面方向（以下、前後方向という）の中央に、左右方向に延在して形成される。
【００４０】
また、断熱材３１の表面では、凸部３２の高さは一定になっている。即ち、断熱材３１の表面には、後記する前後方向流路４０に向かって下る傾斜が形成されておらず、凸部３２の全体が同一平面内に形成される。ちなみに、断熱材３１の厚さも、左右方向で一定である。これらの構成により、仮に室内機１００が室内で傾いて取り付けられた場合でも、結露水が断熱材３１の表面で溜まることが無く、左右いずれかの前後方向流路４０に至らせることができる。
【００４１】
断熱材３１は、例えば発泡スチロール、発泡ウレタン等の吸湿しない材料で構成され、その表面は撥水性になっている。即ち、断熱材３１において、結露水が流れる部分には撥水性の表面が配置される。これにより、断熱材３１に結露水が流れ落ちた場合に、断熱材３１の表面の結露水が蒸発し易くなり、結露水の後残りが生じにくい。また、断熱材３１は吸湿しないため、断熱材３１が含水してしまう結果生じるかび等の発生が抑制される。なお、断熱材３１は、例えば鏡面加工された金型に樹脂材料を充填し、発泡させることで成型される。
【００４２】
前後方向流路４０の背面側には、ドレンパン２に流れ落ちた結露水を室外に排水するための排水管（図示しない）に接続された排水口４２が形成される。そして、詳細は図８を参照しながら後記するが、前後方向流路４０の背面側の底面には、排水口４２に向かって下る傾斜が形成される。これにより、ドレンパン２に流れ落ちた結露水が排水口４２に導かれ易くなる。
【００４３】
前後方向流路４０の裏側には、その正面側に、左右風向板１６を駆動させるためのモータ（図示しない）が配置される。そのため、前後方向流路４０の正面側は盛り上がっており、盛り上がり部４１が形成される。この盛り上がり部４１の高さは、前記の断熱材３１に形成された凹部３３の高さよりもわずかに低い程度である。そのため、断熱材３１から前後方向流路４０に導かれた結露水は、断熱材３１の側への逆流が防止される。なお、断熱材３１から盛り上がり部４１に至った結露水は、盛り上がり部４１を降りて排水口４２に導かれる。
【００４４】
なお、前後方向流路４０の内側表面には、前記の前ドレンパン３５（図５参照）とは異なり、断熱材は配置されていない。そのため、前記の断熱材３１と前後方向流路３０の内表面に配置される断熱材とが一体になったような複雑な形状の断熱材３１を用意する必要が無く、製造コストの安価化が図られる
【００４５】
また、ドレンパン２は、前記のように鏡面加工された金型を使用して成型される。そのため、ドレンパン２の表面ではほぼ平滑になっている。従って、前後方向流路４０において、結露水が流れる部分は撥水性になっている。これにより、結露水が蒸発し易くなり、結露水の後残りが生じにくい。
【００４６】
図５は、本実施形態の空気調和機１０を構成する室内機１００において、ドレンパン２と室内熱交換器３との相対的な位置関係を示す断面図である。図５に示すように、室内熱交換器３を構成するフィン３ａとドレンパン２を構成する断熱材３１とは接触している。具体的には、断熱材３１の凹部３４にフィン３ａが接触することで、断熱材３１の背面側内側面と室内熱交換器３の下方背面側端部とが接触している。
【００４７】
このような配置により、室内熱交換器３の下背面側端部と、断熱材３１の背面側内側面との間には、隙間が形成されない。そのため、貫流ファン４（図１参照）の回転により正面側から背面側に空気が通流する際（図５において白抜きの矢印）、室内熱交換器３の下方背面側端部と、断熱材３１の背面側内側面との間の隙間を通じた空気の抜けが防止される。特に、凹部３４に隣接して凸部３２が形成されることで、この凸部３２が障害となって空気が流れにくくなることから、そのような抜けが確実に防止される。この結果、室内熱交換器３での熱交換量を増やし、エネルギ効率が高められる。さらには、断熱材３１を掠めるようにした空気の抜けが防止されるため、断熱材３１の表面に存在し得る水滴が室内に飛散することが防止される。
【００４８】
また、室内熱交換器３のフィン３ａと断熱材３１とが接触していることで、フィン３ａを流れ落ちた結露水が断熱材３１に移動し易くなる。即ち、これらの間に隙間があいていれば、その隙間の間で結露水が落下することになるが、フィン３１ａと断熱材３１とが接触していることで、フィン３１ａの表面張力を利用して結露水が流れ落ちることになる。これにより、結露水３１の落下速度を速め、ドレンパン２を利用して速やかに室外に結露水が排水される。
【００４９】
図６は、図４のＡ部拡大図である。図６において太線矢印は、凹部３３，３４のそれぞれに流れ落ちた結露水が流れる方向を示している。
【００５０】
断熱材３１には、前記のように、ドレンパン２の上方に配置された室内熱交換器３（図４では図示しない）に付着した結露水が流れ落ちる。そして、流れ落ちた結露水は、凸部３２に沿って凹部３３，３４を通流して前後方向流路４０に導かれる。このとき、凹部３３を通流する結露水は、盛り上がり部４１を経由して、前後方向流路４０に至る。一方で、凹部３４を通流する結露水は、直接、前後方向流路４０に至る。
【００５１】
ドレンパン２に流れ落ちる結露水は、室内機１００での冷房運転時及び除湿運転時に発生するもののほか、前記のように凍結（前記の図３のステップＳ２を参照）により発生したものも含まれる。特に、凍結時に発生した結露水は、霜を解凍したものであるから、冷房運転時及び除湿運転時に発生する結露水よりも低温である。そのため、断熱材３１の上に低温の結露水が流れ落ちることで、前ドレンパン３５（図５参照、図６では図示しない）が冷やされにくい。この結果、前ドレンパン３５の裏面（断熱材３１が配置された側とは反対側）が結露することが防止される。これにより、前ドレンパン３５の裏面側に形成された、室内機１００が設置される室内に臨む通風路に水が垂れることが防止され、室内への水の飛散が防止される。さらには、当該通風路が広く確保される結果、通風抵抗の増大が防止される
【００５２】
また、断熱材３１の正面側端部及び背面側端部はいずれも上方向に延びている。これにより、ドレンパン２の上方に配置された室内熱交換器３（図４では図示しない）から断熱材３１に流れ落ちた結露水が正面側及び背面側に漏出することが防止される。一方で、断熱材３１の左右両端では、いずれも上方向に延びていない。これにより、断熱材３１に流れ落ちた結露水は、凸部３２に沿って、その左右両端に接続された前後方向流路４０に導かれる。
【００５３】
ここで、断熱材３１の表面には、前後方向流路４０に向かって左右方向に延びる凸部３２が形成される。そして、本発明者らが検討したところ、断熱材３１に流れ落ちた結露水は、連続的に形成された凸部３２を構成する壁面に沿って流れ易いことがわかった。そのため、排水口４２に結露水を導くことが可能な凸部３２が形成されることで、結露水が途中で途切れることなく連続して流れることができ、左右両端に形成された前後方向４０に導かれ易くなる。これにより、断熱材３１の表面への結露水の後残りが抑制される。
【００５４】
また、断熱材３１の前後方向の中央に凸部３１が形成されることで、断熱材３１の表面で水滴同士が結合して過度に成長することが防止される。これにより、断熱材３１の表面において結露水の水滴が小さいまま維持され、結露水が移動（即ち排水）され易くなる。
【００５５】
前後方向流路４０に導かれた結露水は、その表面に形成された凸部４３及び凹部４４により、排水口４２に導かれる。前後方向流路４０の表面形状について、図７を参照しながら説明する。
【００５６】
図７は、図６のＢ−Ｂ線端面図である。この図７は、前後方向流路４０での結露水の流れ方向から視たときの前後方向流路４０の端面の様子を示す図である。前後方向流路４０の上表面には、等間隔に形成された凸部４３と、隣接する凸部４３，４３の間に形成された凹部４４とが備えられている。凸部４３は、本実施形態では四つ形成される。凸部４３及び凹部４４は、ドレンパン２の成型時に、凸部４３及び凹部４４に対応する位置及び大きさで凹及び凸が形成された金型を使用することで、ドレンパン２と一体に形成される。
【００５７】
なお、凸部４３及び凹部４４は、前記の図６に示すように、図７に示す形状で、それぞれ、前後方向流路４０の前後方向に連続的に形成される（図６を併せて参照）。
【００５８】
凸部４３は、上部の二つの端部が面取りされたような断面略矩形状である。凸部４３の断面形状が略矩形状となっていることで、凸部４３の上面と結露水との接触面積が増加する。これにより、凸部４３の上面が撥水性になっていることと相俟って、凸部４３を跨ぐようにした水滴の成長が抑制される。そのため、水滴が小さいまま維持され、結露水の水滴が排水口４２（図６参照）に導かれ易くなる。
【００５９】
また、前記の断熱材３１を構成する凸部３２において説明したのと同様に、結露水の水滴は、排水口４２に導かれるように形成された凸部４３に沿って凹部４４を流れ易い。そのため、凸部４３によって成長が抑制された結果、小さいままの水滴は、凸部４３及び凹部４４により、排水口４２に導かれ易くなる。
【００６０】
そして、前後方向流路４０に流し込まれた結露水が排水口４２に流れ易くなる結果、前後方向流路４０からは速やかに結露水が消失する。そのため、前記のように低温の結露水が前後方向流路４０に残留し難くなる。この結果、前後方向流路４０が過度に冷やされることが防止され、前後方向流路４０に断熱材を設けなくても、裏面での結露が防止される。これにより、前後方向流路４０の裏面側に形成された、室内機１００が設置される室内に臨む通風路に水が垂れることが防止され、室内への水の飛散が防止される。
【００６１】
なお、凸部４３の左右方向の幅（長さＬ１）は例えば３ｍｍ程度である。さらに、凸部４３と当該凸部４３に隣接する凸部４３との中心間距離（長さＬ２）は例えば４ｍｍ程度である。そして、凸部４３の高さ（長さＬ３）は例えば０．３ｍｍ程度である。
【００６２】
図８は、図６のＣ−Ｃ線断面図である。この図８は、前後方向流路４０での結露水の流れ方向に水平面内で垂直な方向から視たときの、排水口４２の近傍の様子を示す図である。図８に示すように、前後方向流路４０では、背面側に形成された排水口４２に向かって下る傾斜が形成される。即ち、境界部４５を起点として正面側では前後方向流路４０は水平に延在するが、境界部４５を起点として背面側では、排水口４２に向かって下る傾斜が形成される。これにより、凸部４３に沿って凹部４４を背面に向かって流れてきた結露水が、下る傾斜により流速が加速され、排水口４２を通じて排水され易くなる。
【００６３】
ここで、室内機１００の設置状況によっては、誤って排水口４２に栓が為され、排水口４２が閉塞される可能性がある。この場合、断熱材３１から前後方向流路４０に流れてきた結露水は、排水されずに前後方向流路４０に滞留することになる。しかし、本実施形態の空気調和機１０では、排水口４２の近傍に傾斜が形成されていることから、排水口４２の近傍に優先的に溜まることになる。そして、この傾斜をある程度緩やかにして深さを浅くすれば、この近傍の部分では、溜まる水の量が少なくなる。そのため、結露水が溜まったとしても、溜まった結露水は蒸発し易い。この結果、排水口４２が閉塞された場合でも前後方向流路４２の全面に結露水が滞留して、前後方向流路４２の裏面で結露してしまうことが防止される。
【００６４】
なお、排水口４２の近傍とは、本明細書では、境界部４５が形成される位置（排水口４２の端部からの距離Ｌ４）及び傾斜の程度（前後方向流路４０の水平面からの深さＬ５）により規定可能である。即ち、Ｌ４及びＬ５により滞留する結露水の量が決定されるため、室内機１００が設置される地域等を考慮して例えば数時間程度で蒸発可能な量を決定し、その量よりも大きくなる体積となるようにＬ４及びＬ５が決定される。Ｌ４は例えば３０ｍｍ程度であり、Ｌ５は例えば数ｍｍ程度である。
【００６５】
また、前後方向流路４０に形成された凸部４３について、前記の境界部４５と前後方向で同じ位置となる境界部４６を境に、その高さ（前記の図７を参照しながら説明した長さＬ３）が傾斜の下る方向に向かって徐々に低くなる。ただし、凸部４３の傾斜の変化（即ち、図７における直線の傾き）は、凹部４４の傾斜の変化（即ち、図７における直線の傾き）よりも大きい。そのため、前後方向流路４０に形成された傾斜の途中で凸部４３が無くなることになる。
【００６６】
このことを言い換えれば、排水口４２の近傍では、凸部４３は形成されていない（図６を併せて参照）。これにより、凸部４３に沿って凹部４４を流れてきた結露水が、排水口４２に集まり易くなる。そのため、結露水が前後方向流路４０の背面側に溜まることが抑制され、排水口４２を通じて室外に排水され易くなる。
【００６７】
以上の構成を有するドレンパン２では、前記のように、結露水が流れ易いように構成されている。そのため、室内熱交換器３から瞬間的に多量の結露水が流れ落ちたとしても、速やかに排水口４２を通じてドレンパン２から室外に排水される。この結果、ドレンパン２から結露水が溢れることが防止される。
【００６８】
また、結露水が排水され易い結果、ドレンパン２の表面に付着した塵埃も洗い流され易くなる。この結果、ドレンパン２の表面に塵埃が堆積し難くなり、ドレンパン２の内容積が長期間に亘って十分に確保される。そのため、このような作用によっても、瞬間的に多量の結露水が流れ込んだ場合に、ドレンパン２から結露水が溢れることが防止される。
【００６９】
さらに、室内熱交換器３での結露水は、正面側において左右方向に延在する断熱材３１に初めに流れ落ちることになる。そうすると、特に洗浄の低温の結露水が断熱材３１に流れ落ちることになる。しかし、断熱材３１により、低温の冷却水によって前ドレンパン３５が冷却されることが防止され、前ドレンパン３５の裏面側（通風路側）での結露が防止される。これにより、室内への水の飛散が防止される。
【００７０】
また、前後方向流路４０には、断熱材３１の上を流れた結露水が流れる。そのため、断熱材３１を流れるうちに結露水は室温によって温められ、この結果、前後方向流路４０には、断熱材３１に流れ落ちた直後の結露水の温度よりは高い温度の結露水が流れる。そのため、前後方向流路４０に断熱材を配置しなくても、前後方向流路４０の裏面側での結露が防止される。
【００７１】
以上、本発明を具体的な実施形態を挙げながら説明したが、本発明は前記の実施形態に何ら限定されず、本発明の要旨を逸脱しない範囲内で任意に変更して実施することができる。
【００７２】
例えば、前記の例では、断熱材３１に形成された凸部３１及び凹部３３，３４の幅（前後方向の長さ）は、左右方向の全域で同じとしたが、例えば、前後方向流路４０に向かって徐々に広くなったり（長くなったり）、又は、徐々に狭くなったり（短くなったり）してもよい。例えば、凹部３３，３４の幅が前後方向流路４０に向かって徐々に広くなるようにすることで、塵埃が集まり易い断熱材３１の左右端部において、塵埃のつまりが確実に防止される。一方で、例えば、凹部３３，３４の幅が前後方向流路４０に向かって徐々に広くなるようにすることで、断熱材３１の左右端部において結露水の流速を速めることができ、断熱材３１に存在する結露水がさらに速やかに前後方向流路４０に流れ込ませることができる。
【００７３】
また、例えば、断熱材３１の表面に形成される凹凸の数及び形状は図示の例に限定されるものではなく、排水口４２に結露水を導くことができるように形成されたものであれば、どのような形状であってもよい。具体的には、例えば凸部３２は断面矩形状（図５参照）とする必要は無く、角が面取りされたような断面略矩形状としてもよい。また、矩形状以外のその他の形状としてもよい。さらに、断熱材３１に形成される例えば凸部３１の数も、図示のような、左右方向に一つのみ（図４参照）とする必要は無く、例えば二つ以上とすることができる。そして、凸部３２の数及び形状に対応して、凹部３３，３４を形成すればよい。
【００７４】
さらに、例えば、前後方向流路４４に形成された凹凸の数及び形状も図示の例に限定されず、排水口４２に結露水を導くことができるように形成されたものであれば、どのような形状であってもよい。具体的には、例えば凸部４３は、角部が面取りされたような略矩形状（図７参照）とする必要は無く、角部が面取りされていない矩形状としてもよい。また、矩形状以外のその他の形状としてもよい。さらに、凸部４３の数も、図示のような、前後方向に四つ（図７参照）とする必要は無く、例えば三つ以下、又は、五つ以上とすることができる。そして、凸部４３の数及び形状に対応して、凹部４４を形成すればよい。
【００７５】
また、室内熱交換器３の洗浄に際して、前記の例では室内熱交換器３をいったん凍結させた後解凍させることで結露水を発生させているが、凍結させることなく液体の結露水をそのまま発生させるようにしてもよい。即ち、冷房運転時及び除湿運転時に通流させる冷媒の蒸発温度よりも低い蒸発温度の冷媒であれば、凍結させなくても、冷房運転時及び除湿運転時に生じる結露水の量よりも多量の結露水を発生させて、洗浄することができる。
【００７６】
さらに、室内熱交換器３の洗浄に際して、前記の例では、室内熱交換器３に発生した霜は、室内熱交換器３の加熱により解凍されていた。また、室内熱交換器３に発生した霜の解凍は、暖房運転時の冷媒に代えて、例えば冷房運転時又は除湿運転時の冷媒（凍結しない蒸発温度の冷媒）を通流させることで、行ってもよい。さらには、冷媒を通流させずに、自然解凍させてもよい。なお、解凍の際には、必要に応じて、貫流ファン４を回転駆動させて、解凍を促してもよい。
【００７７】
また、例えば、前記の図３を参照しながら説明したステップＳ４において、室内熱交換器３の乾燥を促すため、貫流ファン４による発生した空気の流れを室内熱交換器３に向かわせる部材、通風路等を設けるようにしてもよい。
【００７８】
さらに、例えば、前記の例では、前ドレンパン３５の上に断熱材３１が配置されているが、断熱材３１が表面（内面）に配置されることが好ましいものの、断熱材３１は必須ではない。断熱材３１が使用されない場合、断熱材３１に形成されていた凸部３２は前ドレンパン３５の内表面に直接形成されることになる。また、断熱材３１は、前ドレンパン３５の裏面（外面）に配置されるようにしてもよい。
【００７９】
また、例えば、前後方向流路４０の表面に断熱材を配置していないことについて、前記の例が好ましいものの、例えば前後方向流路４０の表面（内面）又は裏面（外面）に断熱材を配置するようにしてもよい。これにより、前後方向流路４０の裏面での結露の発生がより確実に防止される。前後方向流路４０の表面（内面）に断熱材が設けられる場合、その断熱材の表面に凸部４３及び凹部４４が形成されることが好ましい。
【００８０】
さらに、例えば、前記の例では、断熱材３１の厚さは左右方向で一定としたが、左右方向で中央近傍を境にして、前後方向流路４０に向かう方向に下る傾斜を有していてもよい。
【００８１】
また、例えば、前記の例では、放電装置８により、マイナスに荷電された水分が筐体９の内部で発生するようにしたが、放電装置８によって空気中に放電させてオゾンを発生させ、筐体９の内部にオゾンガスを発生させるようにしてもよい。また、放電装置８により、前記のマイナスに荷電された水分とオゾンガスとの双方を発生させて、これらを筐体９の内部に放出するようにしてもよい。
【００８２】
さらに、例えば、放電装置８の放電は、前記の例では空調中に行うようにしたが、これに代えて、空調停止中に行うようにしてもよい。さらには、前記の例のように空調中に行うとともに、空調停止中にも行うようにしてもよい。空調停止中に行う放電は、例えば、一定時間毎に断続的に行ってもよいし、連続的に行うこともできる。
【符号の説明】
【００８３】
１  室内機制御部（制御部）
２  ドレンパン
３  室内熱交換器
３ａ  フィン
３ｂ  伝熱管
４  貫流ファン
８  放電装置
１０  空気調和機
１６  室外機制御部（制御部）
３１  断熱材（ドレンパン、左右方向流路）
３２  凸部（ドレンパン、左右方向流路）
３３  凹部（ドレンパン、左右方向流路）
３４  凹部（ドレンパン、左右方向流路）
３５  前ドレンパン（ドレンパン、左右方向流路）
４０  前後方向流路（ドレンパン）
４２  排水口（ドレンパン）
４３  凸部（ドレンパン）
４４  凹部（ドレンパン）
１００  室内機
１０１  室外機
【図１】
2018189254.tif 000003
【図２】
2018189254.tif 000004
【図３】
2018189254.tif 000005
【図４】
2018189254.tif 000006
【図５】
2018189254.tif 000007
【図６】
2018189254.tif 000008
【図７】
2018189254.tif 000009
【図８】
2018189254.tif 000010
【手続補正書】
【提出日】平成29年9月28日(2017.9.28)
【手続補正１】
【補正対象書類名】明細書
【補正対象項目名】００１３
【補正方法】変更
【補正の内容】
【００１３】
図１は、本実施形態の空気調和機１０（図２参照、図１では図示しない）を構成する室内機１００の断面図である。図１に示す状態では、貫流ファン４は停止し、かつ、前面パネル７及び上下風向板１８は閉じられて、室内機１００による空調運転は停止している。室内機１００は、貫流ファン４と、貫流ファン４を囲うように配置された室内熱交換器３と、室内熱交換器３の下方に配置されたドレンパン２とを備える。これらは筐体９に収容される。
【手続補正２】
【補正対象書類名】明細書
【補正対象項目名】００１９
【補正方法】変更
【補正の内容】
【００１９】
このとき、筐体９の内部では、放電装置８による放電が行われている。そのため、室内に吹き出される空気には、マイナスに荷電された水分が含まれている。そして、上下風向板１８の回動角度が制御されることで、上下方向の吹き出し位置が制御される。また、左右風向板１７も、その一端が回動可能になっており、左右風向板１７の回動角度が制御されることで、左右方向（図１において紙面手前と奥側との方向）の吹き出し位置が制御される。
【手続補正３】
【補正対象書類名】明細書
【補正対象項目名】００２７
【補正方法】変更
【補正の内容】
【００２７】
図３は、本実施形態の空気調和機１０において行われる凍結洗浄フローを示す図である。このフローは、特に断らない限り、室内機制御部１と室外機制御部１６とが協動して行われる。まず、室内機１００による空調運転中、使用者が例えばリモコン等を操作することで、空調運転が停止される（ステップＳ１）。次いで、冷凍サイクル内の冷媒の状態を安定させるため、所定時間（例えば数分）の待機が行われる。所定時間の待機後、室外機制御部１６は、膨張弁１５（図２参照）の開度を絞る。具体的には、室内機１００の冷房運転時及び除湿運転時の開度よりも小さくなるように、膨張弁１５の開度が小さくされる。
【手続補正４】
【補正対象書類名】明細書
【補正対象項目名】００２８
【補正方法】変更
【補正の内容】
【００２８】
そして、室外機制御部１６は、四方弁１２の向きを、室内機１００が冷房運転時及び除湿運転時の方向の同じ方向にし、室内熱交換器３に冷媒を通流させる。この一連の動作により、膨張弁１５による膨張度合いが大きくなるため、室内熱交換器３には低温（例えば０℃以下）の冷媒が供給されることになる。これにより、室内熱交換器３は冷却される。この結果、筐体９の内部の空気に含まれる水分は室内熱交換器３の表面で凍結され、霜となる（ステップＳ２）。
【手続補正５】
【補正対象書類名】明細書
【補正対象項目名】００４３
【補正方法】変更
【補正の内容】
【００４３】
前後方向流路４０の裏側には、その正面側に、左右風向板１７を駆動させるためのモータ（図示しない）が配置される。そのため、前後方向流路４０の正面側は盛り上がっており、盛り上がり部４１が形成される。この盛り上がり部４１の高さは、前記の断熱材３１に形成された凹部３３の高さよりもわずかに低い程度である。そのため、断熱材３１から前後方向流路４０に導かれた結露水は、断熱材３１の側への逆流が防止される。なお、断熱材３１から盛り上がり部４１に至った結露水は、盛り上がり部４１を降りて排水口４２に導かれる。
【手続補正６】
【補正対象書類名】明細書
【補正対象項目名】００４８
【補正方法】変更
【補正の内容】
【００４８】
また、室内熱交換器３のフィン３ａと断熱材３１とが接触していることで、フィン３ａを流れ落ちた結露水が断熱材３１に移動し易くなる。即ち、これらの間に隙間があいていれば、その隙間の間で結露水が落下することになるが、フィン３ａと断熱材３１とが接触していることで、フィン３ａの表面張力を利用して結露水が流れ落ちることになる。これにより、結露水の落下速度を速め、ドレンパン２を利用して速やかに室外に結露水が排水される。
【手続補正７】
【補正対象書類名】明細書
【補正対象項目名】００５３
【補正方法】変更
【補正の内容】
【００５３】
ここで、断熱材３１の表面には、前後方向流路４０に向かって左右方向に延びる凸部３２が形成される。そして、本発明者らが検討したところ、断熱材３１に流れ落ちた結露水は、連続的に形成された凸部３２を構成する壁面に沿って流れ易いことがわかった。そのため、排水口４２に結露水を導くことが可能な凸部３２が形成されることで、結露水が途中で途切れることなく連続して流れることができ、左右両端に形成された前後方向流路４０に導かれ易くなる。これにより、断熱材３１の表面への結露水の後残りが抑制される。
【手続補正８】
【補正対象書類名】明細書
【補正対象項目名】００５４
【補正方法】変更
【補正の内容】
【００５４】
また、断熱材３１の前後方向の中央に凸部３２が形成されることで、断熱材３１の表面で水滴同士が結合して過度に成長することが防止される。これにより、断熱材３１の表面において結露水の水滴が小さいまま維持され、結露水が移動（即ち排水）され易くなる。
【手続補正９】
【補正対象書類名】明細書
【補正対象項目名】００６３
【補正方法】変更
【補正の内容】
【００６３】
ここで、室内機１００の設置状況によっては、誤って排水口４２に栓が為され、排水口４２が閉塞される可能性がある。この場合、断熱材３１から前後方向流路４０に流れてきた結露水は、排水されずに前後方向流路４０に滞留することになる。しかし、本実施形態の空気調和機１０では、排水口４２の近傍に傾斜が形成されていることから、排水口４２の近傍に優先的に溜まることになる。そして、この傾斜をある程度緩やかにして深さを浅くすれば、この近傍の部分では、溜まる水の量が少なくなる。そのため、結露水が溜まったとしても、溜まった結露水は蒸発し易い。この結果、排水口４２が閉塞された場合でも前後方向流路４０の全面に結露水が滞留して、前後方向流路４０の裏面で結露してしまうことが防止される。
【手続補正１０】
【補正対象書類名】明細書
【補正対象項目名】００７２
【補正方法】変更
【補正の内容】
【００７２】
例えば、前記の例では、断熱材３１に形成された凸部３２及び凹部３３，３４の幅（前後方向の長さ）は、左右方向の全域で同じとしたが、例えば、前後方向流路４０に向かって徐々に広くなったり（長くなったり）、又は、徐々に狭くなったり（短くなったり）してもよい。例えば、凹部３３，３４の幅が前後方向流路４０に向かって徐々に広くなるようにすることで、塵埃が集まり易い断熱材３１の左右端部において、塵埃のつまりが確実に防止される。一方で、例えば、凹部３３，３４の幅が前後方向流路４０に向かって徐々に広くなるようにすることで、断熱材３１の左右端部において結露水の流速を速めることができ、断熱材３１に存在する結露水がさらに速やかに前後方向流路４０に流れ込ませることができる。
【手続補正１１】
【補正対象書類名】明細書
【補正対象項目名】００７３
【補正方法】変更
【補正の内容】
【００７３】
また、例えば、断熱材３１の表面に形成される凹凸の数及び形状は図示の例に限定されるものではなく、排水口４２に結露水を導くことができるように形成されたものであれば、どのような形状であってもよい。具体的には、例えば凸部３２は断面矩形状（図５参照）とする必要は無く、角が面取りされたような断面略矩形状としてもよい。また、矩形状以外のその他の形状としてもよい。さらに、断熱材３１に形成される例えば凸部３２の数も、図示のような、左右方向に一つのみ（図４参照）とする必要は無く、例えば二つ以上とすることができる。そして、凸部３２の数及び形状に対応して、凹部３３，３４を形成すればよい。
【手続補正１２】
【補正対象書類名】明細書
【補正対象項目名】００７４
【補正方法】変更
【補正の内容】
【００７４】
さらに、例えば、前後方向流路４０に形成された凹凸の数及び形状も図示の例に限定されず、排水口４２に結露水を導くことができるように形成されたものであれば、どのような形状であってもよい。具体的には、例えば凸部４３は、角部が面取りされたような略矩形状（図７参照）とする必要は無く、角部が面取りされていない矩形状としてもよい。また、矩形状以外のその他の形状としてもよい。さらに、凸部４３の数も、図示のような、前後方向に四つ（図７参照）とする必要は無く、例えば三つ以下、又は、五つ以上とすることができる。そして、凸部４３の数及び形状に対応して、凹部４４を形成すればよい。
【手続補正１３】
【補正対象書類名】図面
【補正対象項目名】図１
【補正方法】変更
【補正の内容】
【図１】
2018189254.tif 000011
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記ドレンパンは、前記左右方向流路の表面に断熱材を備える一方で、前記前後方向流路の表面には断熱材を備えないことを特徴とする空気調和機。
【請求項２】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記凹凸は、前記左右方向流路の内部に、前記室内機の正面視で左右方向に延在しており、
前記ドレンパンは、前記左右方向流路の表面に断熱材を備える一方で、前記前後方向流路の表面には断熱材を備えないことを特徴とする空気調和機。
【請求項３】
前記左右方向流路の表面に備えられた断熱材は、前記室内熱交換器において発生した結露水を受ける部分に配置され、
前記凹凸は当該断熱材の表面に形成されていることを特徴とする、請求項１又は２に記載の空気調和機。
【請求項４】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記前後方向流路の背面側には、前記排水口が形成されていることを特徴とする空気調和機。
【請求項５】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記凹凸は、前記左右方向流路の内部に、前記室内機の正面視で左右方向に延在しており、
前記前後方向流路の背面側には、前記排水口が形成されていることを特徴とする空気調和機。
【請求項６】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記前後方向流路の底面には、前記排水口の近傍において、前記排水口に向かって下る傾斜が形成されており、
前記前後方向流路には凸部が形成され、
当該凸部は、前記傾斜の途中で無くなるように前記傾斜の下る方向に徐々に高さが低くなっていることを特徴とする空気調和機。
【請求項７】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記凹凸は、前記左右方向流路の内部に、前記室内機の正面視で左右方向に延在しており、
前記前後方向流路の底面には、前記排水口の近傍において、前記排水口に向かって下る傾斜が形成されており、
前記前後方向流路には凸部が形成され、
当該凸部は、前記傾斜の途中で無くなるように前記傾斜の下る方向に徐々に高さが低くなっていることを特徴とする空気調和機。
【請求項８】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記室内熱交換器を構成するフィンと前記ドレンパンとは接触しており、
前記ドレンパンを構成する凹凸のうちの凹んだ部分の内側に前記フィンの先端が接触していることを特徴とする空気調和機。
【請求項９】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記室内熱交換器を構成するフィンと前記ドレンパンとは接触しており、
前記ドレンパンを構成する凹凸のうちの凹んだ部分の内側に前記フィンの先端が接触していることを特徴とする空気調和機。
【請求項１０】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記凹凸は、前記左右方向流路の内部に、前記室内機の正面視で左右方向に延在しており、
前記室内熱交換器を構成するフィンと前記ドレンパンとは接触しており、
前記ドレンパンを構成する凹凸のうちの凹んだ部分の内側に前記フィンの先端が接触していることを特徴とする空気調和機。
【請求項１１】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンのうち、前記結露水が流れる部分には撥水性の表面が配置されていることを特徴とする空気調和機。
【請求項１２】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記ドレンパンのうち、前記結露水が流れる部分には撥水性の表面が配置されていることを特徴とする空気調和機。
【請求項１３】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記凹凸は、前記左右方向流路の内部に、前記室内機の正面視で左右方向に延在しており、
前記ドレンパンのうち、前記結露水が流れる部分には撥水性の表面が配置されていることを特徴とする空気調和機。
【請求項１４】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
前記室内熱交換器の表面に霜を発生させた後に、発生した霜を解凍することで液体の水を発生させて、結露水として前記ドレンパンに流すことを特徴とする空気調和機。
【請求項１５】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
前記室内熱交換器の表面に霜を発生させた後に、発生した霜を解凍することで液体の水を発生させて、結露水として前記ドレンパンに流すことを特徴とする空気調和機。
【請求項１６】
貫流ファンと、
室内熱交換器と、
当該室内熱交換器の下方に配置されて前記室内熱交換器において発生した結露水を表面に受け、受けた結露水を室外に排水する排水口が形成されているとともに、凹凸を表面に有するドレンパンと、
前記室内熱交換器に対し、冷房運転時及び除湿運転時に通流する冷媒の蒸発温度よりも低い蒸発温度の冷媒を通流させる制御部と、を備える室内機を有し、
前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
前記凹凸は、前記左右方向流路の内部に、前記室内機の正面視で左右方向に延在しており、
前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
前記室内熱交換器の表面に霜を発生させた後に、発生した霜を解凍することで液体の水を発生させて、結露水として前記ドレンパンに流すことを特徴とする空気調和機。
【手続補正２】
【補正対象書類名】明細書
【補正対象項目名】０００９
【補正方法】変更
【補正の内容】
【０００９】
本発明者らは前記課題を解決するために鋭意検討を行った結果、以下の知見を見出して本発明を完成させた。即ち、本発明の要旨は、貫流ファンと、室内熱交換器と、当該室内熱交換器の下方に配置されて前記室内熱交換器において発生した結露水を表面に受け、受けた結露水を室外に排水する排水口が形成されているとともに、表面で受けた結露水を前記排水口に導く凹凸を表面に有するドレンパンと、前記室内熱交換器に対し、冷房運転時及び除湿運転時に通流する冷媒の蒸発温度よりも低い蒸発温度の冷媒を通流させる制御部と、を備える室内機を有し、前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、前記ドレンパンは、前記左右方向流路の表面に断熱材を備える一方で、前記前後方向流路の表面には断熱材を備えないことを特徴とする、空気調和機に関する。